(57)【特許請求の範囲】
【請求項１】
下部走行体（２）と、該下部走行体（２）上に旋回可能に設けられた上部旋回体（３）とからなり、該上部旋回体（３）は、作業装置（４）と、旋回フレームに搭載されたエンジンと、前記旋回フレーム上に設けられ該エンジンを含む上部旋回体（３）上の機器を覆う外装カバー（１０）と、前記外装カバー（１０）の前側に位置して該床板上に設けられた運転席（５）と、前記旋回フレームの左右両側面を覆うサイドカバー（９）とを備えた旋回式建設機械において、
前記運転席（５）の乗降部近傍に位置する前記サイドカバー（９）の上面（１２）から側面（１１）とのコーナー部まで又は上面（１２）から側面（１１）とのコーナー部を介し側面（１１）まで覆うステップ部（１４）を着脱自在に取り付け、サイドカバー（９）におけるステップ部（１４）を取り付ける部分は、ステップ部（１４）を取り付けたときにステップ部（１４）とサイドカバー（９）の上面（１２）、コーナー部、又は上面（１２）、コーナー部、側面（１１）と面一となるような凹部（１５）を形成し、この凹部（１５）は、サイドカバー（９）の上面（１２）から側面（１１）にかけて側面（１１）側に下がるように傾斜状に形成すると共に、前記ステップ部（１４）と前記凹部（１５）の幅は、サイドカバー（９）の幅以下であり、かつステップ部（１４）と凹部（１５）の車体前後方向の長さは、運転席（５）の乗降部の前後方向の幅と略同じ長さであることを特徴とする旋回式建設機械。
【請求項２】
前記サイドカバー（９）には点検用扉（１３）を設けると共に、前記ステップ部（１４）は、前記凹部（１５）に点検用扉（１３）内から取り付け固定できるようにしたことを特徴とする請求項１記載の旋回式建設機械。
【発明の詳細な説明】
【０００１】
【発明の属する技術分野】
本発明は、油圧ショベル等の建設機械において、下部走行体と、該下部走行体上に旋回可能に設けられた上部旋回体とからなる旋回式建設機械に関する。
【０００２】
【従来の技術】
従来、旋回式建設機械は、図１に示すように、無端状の履帯１を有する下部走行体２と、該下部走行体２上に上部旋回体３を旋回可能に設けられている。該上部旋回体３は、作業装置４と、図示していない旋回フレームに搭載されたエンジンと、前記旋回フレーム上に設けられ該エンジンを含む上部旋回体上の機器を覆う外装カバー１０と、前記外装カバー１０の前側に位置して該床板上に設けられた運転席５等を備えている。そして、前記運転席５全体を覆うキャブ６を装着し、このキャブ６は、前後、左右、そして上方に窓７をそれぞれ設けると共に、左側前部にスライド式のドア８を設けて、ここを運転席５への乗降部としている。
【０００３】
このようになる旋回式建設機械において、図６に示すように、上部旋回体３には、旋回フレームの左右両側面を覆うサイドカバー９を取り付け、このサイドカバー９は内部に搭載したエンジンを含む各種の機器を覆うようにしている。
【０００４】
この旋回式建設機械にあっては、オペレータが上部旋回体３に装着したキャブ６内の運転席５へ乗り込む際、運転席５への乗降部となる上部旋回体３の左側、すなわち上部旋回体３の左側に配置したサイドカバー９側より乗り込むようになる。
【０００５】
【発明が解決しようとする課題】
かかる従来の旋回式建設機械において、オペレータが上部旋回体に装着したキャブ内の運転席へ乗り込む際、運転席への乗降部となるサイドカバー側より乗り込むようになるが、この時、オペレータはサイドカバーにおけるコーナー部に足が当たって、ここを踏みつけて乗り込むことが多々あった。
【０００６】
このため、このサイドカバーにおけるコーナー部の塗装がすぐに剥がれてしまうといった問題があり、剥がれた箇所より錆びが発生する恐れがあった。そこで、塗装が剥がれると、サイドカバーを一旦取り外して、塗装し直して、再び取り付けるといった作業が必要となっていた。このサイドカバーの塗装は、サイドカバーを取り外して行うため、補修作業が大変で、かつ非常に高価になるといった問題があった。
【０００７】
本発明は、前述した課題を解決できるようにした旋回式建設機械を提供することを目的とするものである。
【０００８】
【課題を解決するための手段及び作用効果】
第一の発明は、下部走行体と、該下部走行体上に旋回可能に設けられた上部旋回体とからなり、該上部旋回体は、作業装置と、旋回フレームに搭載されたエンジンと、前記旋回フレーム上に設けられ該エンジンを含む上部旋回体上の機器を覆う外装カバーと、前記外装カバーの前側に位置して該床板上に設けられた運転席と、前記旋回フレームの左右両側面を覆うサイドカバーとを備えた旋回式建設機械において、前記運転席の乗降部近傍に位置する前記サイドカバーの上面から側面とのコーナー部まで又は上面から側面とのコーナー部を介し側面まで覆うステップ部を着脱自在に取り付け
、サイドカバーにおけるステップ部を取り付ける部分は、ステップ部を取り付けたときにステップ部とサイドカバーの上面、コーナー部、又は上面、コーナー部、側面と面一となるような凹部を形成し、この凹部は、サイドカバーの上面から側面にかけて側面側に下がるように傾斜状に形成すると共に、前記ステップ部と前記凹部の幅は、サイドカバーの幅以下であり、かつステップ部と凹部の車体前後方向の長さは、運転席の乗降部の前後方向の幅と略同じ長さである。
【００１０】
第二の発明は、第一の発明において、前記サイドカバーには点検用扉を設けると共に、前記ステップ部は、前記凹部に点検用扉内から取り付け固定できるようにする。
【００１１】
本発明によれば、運転席への乗降部近傍に位置するサイドカバーの上面から側面とのコーナー部まで又は上面から側面とのコーナー部を介し側面までであるサイドカバーにステップ部を着脱自在に取り付けたことで、オペレータが運転席へ乗り込む際、サイドカバーを踏みつけることなく、ステップ部のみを踏みつけるようになり、これにより、ステップ部の塗装が剥がれても、ステップ部のみを取り外し塗装し直すだけで良く、サイドカバーを取り外すことをなくすことで、補修作業を容易に、かつ非常に安価にすることができる。また、サイドカバーに凹部を形成したことで、ステップ部を取り付けたときにステップ部とサイドカバーの上面、コーナー部、又は上面、コーナー部、側面と面一とすることができ、つまずく等の危険を防止し、さらに美観的に良好にすることもできる。
【００１２】
【発明の実施の形態】
本発明の旋回式建設機械の一実施形態について説明する。
旋回式建設機械としては、従来と同様、図１に示すように、無端状の履帯１を有する下部走行体２と、該下部走行体２上に上部旋回体３を旋回可能に設けられている。該上部旋回体３は、作業装置４と、図示していない旋回フレームに搭載されたエンジンと、前記旋回フレーム上に設けられ該エンジンを含む上部旋回体上の機器を覆う外装カバー１０と、前記外装カバー１０の前側に位置して該床板上に設けられた運転席５等を備えている。そして、前記運転席５全体を覆うキャブ６を装着している。このキャブ６は、前後、左右、そして上方に窓７をそれぞれ設けると共に、左側前部にスライド式のドア８を設けて、ここを運転席５への乗降部としている。
【００１３】
このようになる旋回式建設機械において、上部旋回体３では、図２に示すように、運転席５への乗降部側である左側にサイドカバー９を取り付け、このサイドカバー９は、図３、図４に示すように、湾曲した略垂直面である側面１１と、この側面１１の上端に一体的となる略水平面である上面１２とコーナー部とから断面略Ｌ字形に形成し、当該上部旋回体３の前端から後端まで達するようにすることで、上部旋回体３の左側において、内部に搭載したエンジンを含む各種の機器を覆うようにしている。
【００１４】
また、このサイドカバー９の側面１１には方形状の点検用扉１３を有し、内部に搭載した各種の機器を点検する際、この点検用扉１３を開けて内部の機器を点検するようにしている。
【００１５】
このようになるサイドカバー９において、図５に示すように、運転席５への乗降部であるキャブ６に設けたドア８の近傍に位置するサイドカバー９の上面１２から側面１１とのコーナー部を介し側面１１までのサイドカバー９における上面１２からコーナー部にかけてステップ部１４を着脱自在に取り付ける。これは、まず、サイドカバー９における上面１２からコーナー部にかけて斜面状に窪んだ凹部１５を形成し、この凹部１５はサイドカバー９の上面１２側から側面１１側にかけて斜面状に形成するようにし、この凹部１５に穴１６を二箇所設ける。そして、この凹部１５を覆うようにステップ部１４を取り付け、このステップ部１４は、湾曲した略垂直面である側面１７と、この側面１７の上端に一体的となる略水平面である上面１８とコーナー部とから断面略Ｌ字形に形成している。また、このステップ部１４の内側にはコ字形の取り付け片１９を二個固着し、この取り付け片１９にナット２０をそれぞれ溶着する。図２、図３、図４に示すように、このステップ部１４と凹部１５の幅は、サイドカバー９の幅以下であり、かつステップ部１４と凹部１５の車体前後方向の長さは、運転席５の乗降部の前後方向の幅と略同じ長さである。
【００１６】
そして、このステップ部１４をサイドカバー９の凹部１５に取り付ける場合、サイドカバー９の凹部１５に設けた穴１６とステップ部１４の取り付け片１９に溶着したナット２０とにわたってボルト２１を締結することで、ステップ部１４をサイドカバー９の凹部１５に取り付けるようになり、このボルト２１はサイドカバー９の側面１１に設けた点検用扉１３内より入れて締結するようにしている。また、このステップ部１４をサイドカバー９の凹部１５に取り付けたときは、ステップ部１４の側面１７、上面１８が、サイドカバー９の側面１１、上面１２と面一となる、すなわちステップ部１４とサイドカバー９の上面１２、コーナー部、側面１１と面一とすることができ、このように面一とすることで、つまずく等の危険を防止し、さらに美観的に良好にすることもできる。
【００１７】
そして、このステップ部１４においては、サイドカバー９における塗装とは別に、常温金属溶射等の特殊な防錆処理して塗装をすることで、錆びが発生しにくく、かつ塗装が剥がれにくいようにする。なお、このステップ部１４にあっては、塗装した後に、塗装が剥がれにくくする表面処理をするようにしても良い。
【００１８】
このようにサイドカバー９において、キャブ６に設けたドア８の近傍に位置する箇所の上面からコーナー部にかけて凹部１５を形成し、ここに別部材となるステップ部１４を着脱自在に取り付けたことで、オペレータが上部旋回体３に装着したキャブ６内の運転席５へ乗り込む際、オペレータがサイドカバー９における上面１２からコーナー部にかけて取り付けたステップ部１４に足が当たって、ここを踏みつけて乗り込んでも、このステップ部１４においては、常温金属溶射等の特殊な防錆処理や表面処理といった塗装が剥がれにくい処理をしていることで、ここでの塗装の剥がれを極力抑えることができる。
【００１９】
しかも、塗装が剥がれてしまった場合は、サイドカバー９と別部材となるステップ部１４のみを塗装し直すだけで良く、塗装し易く、補修作業を容易なものにすることができると共に、これを非常に安価にすることができる。
【００２０】
また、ステップ部１４を取り付けるサイドカバー９における上面１２からコーナー部にかけては凹部１５を形成していることで、サイドカバー９とステップ部１４との隙間より泥等が侵入しても、凹部１５により上部旋回体３の内部への泥等の侵入を防ぐことができ、しかも、この凹部１５を斜面状とすることで、凹部１５とステップ部１４との間に侵入した泥等を容易に排除することができる。
【００２１】
なお、前述した一実施形態において、サイドカバー９における上面１２からコーナー部にかけて凹部１５を形成し、ここにステップ部１４を取り付けるようにしていたが、これに限定されるものではなく、凹部１５の代わりに、ここに上部旋回体３の内部まで開口する開口部を形成するようにしても良く、この場合、上部旋回体３の内部への泥等の侵入を防ぐため、サイドカバー取り付けブラケットを追加して、ステップ部１４の周囲にゴムシール材等を取り付けて、サイドカバー９とステップ部１４との隙間をなくすような構造にすれば良い。
【００２２】
また、ステップ部１４をサイドカバー９の凹部１５に取り付ける場合、取り付けのためのボルト２１を点検用扉１３を利用して締結するようにしていたが、これをステップ部１４の外側より締結するようにしても良い。
【００２３】
なお、前述した一実施形態ではキャブ６のある旋回式建設機械すなわちキャブ装着のもので述べたが、これに限定されることなく、キャノピ装着のものでも良い。
【００２４】
また、前記ステップ部１４を取り付けるサイドカバー９における上面１２からコーナー部にかけては、サイドカバー９の上面１２から側面１１とのコーナー部を介し側面１１までであったが、サイドカバー９の上面１２から側面１１とのコーナー部までであっても良い。
【図面の簡単な説明】
【図１】旋回式建設機械の平面図である。
【図２】本発明の旋回式建設機械における上部旋回体の斜視図である。
【図３】本発明の旋回式建設機械におけるサイドカバーの平面図である。
【図４】本発明の旋回式建設機械におけるサイドカバーの断面図である。
【図５】本発明の旋回式建設機械におけるサイドカバーの一部斜視図である。
【図６】従来の旋回式建設機械における上部旋回体の斜視図である。
【符号の説明】
１…履帯、２…下部走行体、３…上部旋回体、４…作業装置、５…運転席、６…キャブ、７…窓、８…ドア、９…サイドカバー、１０…外装カバー、１１…側面、１２…上面、１３…点検用扉、１４…ステップ部、１５…凹部、１６…穴、１７…側面、１８…上面、１９…取り付け片、２０…ナット、２１…ボルト。
【図１】
0004650860.tif 000002
【図２】
0004650860.tif 000003
【図３】
0004650860.tif 000004
【図４】
0004650860.tif 000005
【図５】
0004650860.tif 000006
【図６】
0004650860.tif 000007